(57)【特許請求の範囲】
【請求項１】
電子機器本体と、
この電子機器本体の背面に形成された係合突部であって、前記電子機器本体の当該背面を長尺状の支持レールに当接させたとき、当該支持レールの長手方向片側に形成された第１の係合辺に間隔を置いて係合される複数の係合突部と、
前記支持レールの他方の片側に前記第１の係合辺と平行に形成された第２の係合辺に先端が係合される係合位置にロックされる第１の留め具であって、当該第２の係合辺から離れて係合が外れる所定位置に変位してロックされるよう前記電子機器本体にスライド可能に支持された第１の留め具と、
前記係合突部の間にあって、前記支持レールを挟んで前記第１の留め具と先端が対向する状態で配置されるとともに、所定位置にロックされるよう前記電子機器本体にスライド可能に支持された第２の留め具と、
を具備し、
前記第１および第２の留め具は、前記支持レールに向けた前記先端とは反対端部にねじ孔を各々有し、前記支持レールから離れた前記所定位置に各々ロックされたとき、前記ねじ孔が前記電子機器本体から突出する位置に位置決めされてなることを特徴とする電子機器の取付構造。
【請求項２】
前記第１および第２の留め具は、前記電子機器本体の背面に対して圧接された弾性係止片を有し、前記電子機器本体は、前記第１の留め具が前記第２の係合辺に係合する位置にあるとき前記係止片と係止してロックする第１の係止凹部と、前記第１および第２の留め具が前記ねじ孔を突出させる位置にあるとき各々の前記係止片と係止してロックする第２の係止凹部を各々有する請求項１記載の電子機器の取付構造。
【請求項３】
前記第１および第２の留め具は、同一形状を有する請求項１又は２記載の電子機器の取付構造。
【発明の詳細な説明】
【０００１】
【発明の属する技術分野】
本発明は電子機器の取付構造に係り、特に、制御対象を制御する調節計などの電子機器をその背面側で支持レールに支持させてなる電子機器の取付構造の改良に関する。
【０００２】
【従来の技術】
従来、調節計などの電子機器は、図８に示すように、その背面側でいわゆるＤＩＮレールと称される支持レールに支持させて使用されることが多い。
【０００３】
すなわち、絶縁基台１にケース３を被せて構成される電子機器本体５のその基台１の背面側に、それを横切るように扁平な凹溝７を形成し、この凹溝７に臨む片方の縁部（図中上側）から１対の係合突部９、１１を間隔を置いて突設させ、同じく基台１の背面側には下端から凹溝７まで延びる横断面凸状の支持溝１３を形成し、この支持溝１３に横断面凸状の留め具１５をスライド可能にはめ込み、凹溝７には横断面台形状に屈曲成形した扁平な長尺状支持レール１７をはめ、この支持レール１７の両側に形成される係合辺１９、２１のうち片側の係合辺１９には上述した１対の係合突部９、１１を係合させるとともに、留め具１５の先端を他方の係合辺２１に係合させてなる構成である。
【０００４】
支持レール１７は、図示しない固定手段によって固定されており、留め具１５は、長方形の窓部２３の内側に弾性係止片２５を突設させてなり、支持レール１７の係合辺２１と係合する状態で、支持溝１３の底面に形成された係止凹部（図８では隠れて見えない。）に係止され、動きが一時的にロックされている。
【０００５】
支持レール１７から電子機器本体５を取り外す場合には、図８中の破線のように、留め具１５を支持レール１７から離れるように後退させて係合を外し、１対の係合突部９、１１との係合を外す。
【０００６】
【発明が解決しようとする課題】
しかしながら、上述した電子機器の取付構造は、支持レール１７の両側係合辺１９、２１を１対の係合突部９、１１と留め具１５で挟むように係合して固定する構成であるから、支持レール１７に多数の電子機器本体５を着脱可能に固定する構成には適するが、１個又は２〜３個の電子機器本体５を支持板など平らな支持部材に直接固定する場合には対応し難い。
【０００７】
もっとも、図示はしないが、電子機器本体５の基台１に背面側までねじ孔を形成し、支持板にねじ止めする構成も考えられるが、実際に実施する場合、基台１からケース３を外してねじ止めした後、再度、ケース３を基台１に被せる必要があって作業が非常に煩雑である。
【０００８】
本発明はこのような状況の下になされたもので、電子機器を支持レールへ着脱可能に固定できるうえ、支持板など平らな支持部材へも着脱可能に固定することが容易で、構成や操作も簡単な取付構造の提供を目的とする。
【０００９】
【課題を解決するための手段】
このような課題を解決するために本発明は、電子機器本体と、この電子機器本体の背面に形成された係合突部であって、その電子機器本体の当該背面を長尺状の支持レールに当接させたとき、当該支持レールの長手方向片側に形成された第１の係合辺に間隔を置いて係合される複数の係合突部と、その支持レールの他方の片側に第１の係合辺と平行に形成された第２の係合辺に先端が係合される係合位置にロックされる第１の留め具であって、当該第２の係合辺から離れて係合が外れる所定位置に変位してロック決めされるようその電子機器本体にスライド可能に支持された第１の留め具と、それら係合突部の間にあってその支持レールを挟んで第１の留め具と先端を対向させた状態で配置されるとともに、所定位置にロックされるようにその電子機器本体にスライド可能に支持された第２の留め具と、を具備している。
【００１０】
そして、上記第１および第２の留め具は、その支持レールに向けた先端とは反対端部にねじ孔を各々有し、その支持レールから離れたそれら所定位置に各々ロックしたとき、そのねじ孔がその電子機器本体から突出する位置に位置決めされる。
【００１１】
また、本発明において、上記第１および第２の留め具は、上記電子機器本体の背面に対して圧接された弾性係止片を有し、その電子機器本体は、第１の留め具が第２の係合辺に係合する位置にあるとき上記係止片と係止してロックする第１の係止凹部と、それら第１および第２の留め具がそのねじ孔を突出させる位置にあるとき各々の係止片と係止してロックする第２の係止凹部を各々有する構成にすると良い。
【００１２】
さらに、本発明において、上記第１および第２の留め具は同一形状とすることが好ましい。
【００１３】
【発明の実施の形態】
以下、本発明の実施の形態を図面を参照して説明する。
図１は本発明に係る電子機器の取付構造の形態を示す斜視図である。
【００１４】
図１において、電子機器本体２７は、制御対象を制御する調節計その他の電子機器を構成するものであり、合成樹脂を縦長のブロック板状に成形した絶縁基台２９を縦置きし、この基台２９に合成樹脂製の箱形ケース３１を被せて構成されており、正面側が操作パネルとなっているが、図では隠れて見えない。
【００１５】
電子機器本体２７の内部には、電子回路基板その他が基台２９やケース３１に固定されているが、本発明の要部ではないので説明や図示を省略する。
【００１６】
基台２９の背面側における上下方向の中程には、後述する支持レール３３の幅寸法より僅かに広い幅寸法を有する扁平な凹溝３５が基台２９を横に横切るように形成されている。
【００１７】
凹溝３５に臨む片方の縁部（図中上側）からは、１対の係合突部３７、３９が互いに間隔を置き、凹溝３５上にせり出すとともに凹溝３５の底と若干の間隔を置くように一体的に突設されている。
【００１８】
凹溝３５には、例えば細長い金属板を横断面が扁平な台形になるよう屈曲成形した長尺状支持レール３３がはまるようになっており、支持レール３３の両側にこの長手方向に沿って平行して形成された第１、第２の係合辺４１、４３のうち片側の第１の係合辺４１に係合突部３７、３９が係合し、図２Ａに示すように、支持レール３３を抑えるようになっている。
【００１９】
基台２９の背面側における凹溝３５より下側領域にあって、係合突部３７、３９で挟まれた領域の延長領域には、支持溝４５が基台２９の下端から凹溝３５まで形成され、この支持溝４５には第１の留め具４７が凹溝３５に対してスライド自在にはめられている。
【００２０】
支持溝４５は、図３および図４のように横断面凸状に形成されており、その長手方向両側には差込溝４９が基台２９の下端から凹溝３５に至らずその近傍まで形成されている。
【００２１】
第１の留め具４７は、図５に示すように、支持溝４５と同じ横断面凸状にして細長い板状に合成樹脂で成形され、短辺方向の両側にはその長手方向に延びる差込片５１を有しており、差込片５１を差込溝４９に差し込むようにして基台２９の下側から支持溝４５にはめられ、スライド可能になっている。
【００２２】
第１の留め具４７は、図１および図５に示すように、長方形の窓部５３が貫通形成されており、先端４７ａから遠い方の内壁から先端４７ａに近い方の内壁に向けて片持ち支持するように突設された円弧状の弾性係止片５５を有し、係止片５５の先端５５ａが第１の留め具４７の下面から若干突出するようになっているが、支持溝４５にはめ込まれた状態では、係止片５５がその底部を弾性的に圧接する。
【００２３】
第１の留め具４７は、先端４７ａと反対側の端部（図中下側端部）には、ねじ孔５７が貫通形成されている。
【００２４】
第１の留め具４７は、支持溝４５にはめられて先端４７ａが凹溝３５に突出するようスライドされたとき、図１および図６に示すように、その先端４７ａで第２の係合辺４３に係合し、支持レール３３を抑えるようになっている。
【００２５】
支持溝４５の底部には、第１の留め具４７の先端４７ａが支持レール３３の第２の係合辺４３に係合した状態にあるとき、図２Ｂ、図４および図６に示すように、係止片５５が係止されて第１の留め具４７の動きを一時的にロックする第１の係止孔５９が形成されるとともに、第１の留め具４７が後退し、その先端４７ａと第２の係合辺４３との係合が外れた状態にあるとき、係止片５５が係止されて第１の留め具４７の動きを一時的にロックする第２の係止孔６１が第１の係止孔５９近くに形成されている。
【００２６】
第１の係止孔５９から第２の係止孔６１に向けて上り斜面６０となっており、第１の留め具４７の係止片５５が第２の係止孔６１側から第１の係止孔５９側へスライドし難くなっている。
【００２７】
第１の留め具４７は、後退して係止片５５が第２の係止孔６１に係止された状態で、ねじ孔５７が基台２９の下端から十分突出するような寸法や位置関係になっている。
【００２８】
基台２９の背面側において、凹溝３５より上側領域の係合突部３７、３９で挟まれた領域には、図１に示すように、支持溝６３が基台２９の上端から凹溝３５まで形成され、第２の留め具６５が凹溝３５に対してスライド自在にはめられている。
【００２９】
この支持溝６３は、図４に示すように、支持溝４５と同じように横断面凸状に形成されており（図３参照）、その長手方向両側には差込溝６７が凹溝３５に至らずその近傍まで形成されている。
【００３０】
第２の留め具６５は、図５に示すように、第１の留め具４７と同一の材料で同一形状に成形され、その両側に長手方向に沿って形成された差込片６９を基台２９の差込溝６７に差し込むようにし、支持溝６３にスライド可能にはめられている。
【００３１】
第２の留め具６５は、第１の留め具４７と同様に窓部７１や係止片７３を有し（図５参照）、係止片７３の先端７３ａが第２の留め具６５に下面から若干突出する状態となっており、支持溝６３にはめられた状態でその底部を弾性的に圧接している。
【００３２】
第２の留め具６５は、先端６５ａとは反対側の端部（図中上側端部）に、ねじ孔７５が貫通形成されている。
【００３３】
第２の留め具６５は、支持溝６３にはめられて先端６５ａが凹溝３５に突出するようスライドされたとき、図６に示すように、その先端６５ａで支持レール３３の第１の係合辺４１に係合し、支持レール３３を抑えるようになっている。
【００３４】
支持溝６３の底部には、第２の留め具６５の先端６５ａが支持レール３３の第１の係合辺４１に係合した状態にあるとき、係止片７３が係止されて第２の留め具６５の動きを一時的にロックする第１の係止孔７７が形成されるとともに、第２の留め具６５が後退し、その先端６５ａと第１の係合辺４１との係合が外れた状態にあるとき、係止片７３が係止されて第２の留め具６５の動きを一時的にロックする第２の係止孔７９が第１の係止孔７７の近くに形成されている。
【００３５】
第１の係止孔７７から第２の係止孔７９に向けて上り斜面７８となっており、第２の留め具６５の係止片７３が第２の係止孔７９側から第１の係止孔７７側へスライドし難くなっている。
【００３６】
しかも、第２の留め具６５も、係止片７３が第２の係止孔７９に係止された状態で、ねじ孔７５が基台２９の上端から十分突出するような寸法や位置関係になっている。
【００３７】
なお、第１、第２の留め具４７、６５は、係止片５５、７３の先端５５ａ、７３ａにテーパを有し、ある一定以上の力を加えることにより、第１の係止孔５９、７７側と第２の係止孔６１、７９側との間でスライドが容易になっている。
【００３８】
次に、上述した本発明に係る電子機器の取付構造の使用例を説明する。
まず、電子機器本体２７を支持レール３３に支持させる場合を説明する。
【００３９】
第１の留め具４７を下方に引き下げ、係止片５５を第２の係止孔６１に係止させて後退位置にロックした状態で、支持レール３３の第１の係合辺４１を１対の係合突部３７、３９の下に差し込むようにして支持レール３３を凹溝３５にはめる。
【００４０】
その後、第１の留め具４７を上方に引き上げ、先端４７ａを支持レール３３の第２の係合辺４３に係合させて係合位置にロックすれば、電子機器本体２７が１対の係合突部３７、３９と第１の留め具４７の３点で支持レール３３に係合され、電子機器本体２７が支持レール３３に支持される。
【００４１】
なお、第２の留め具６５は、下方に引き下げて係止片７３を第１の係止孔７７に係止させて係合位置にロックさせた状態にしても、上方に引き上げて係止片５５を第２の係止孔６１に係止させて後退位置にロック状態にしておいても良い。第２の留め具６５を下方に引き下げて支持レール３３に係合されば、電子機器本体２７が支持レール３３により確実に支持されるであろう。
【００４２】
次に、電子機器本体２７を支持板に支持する場合を図７を参照して説明する。この場合、図７に示すように、電子機器本体２７の第１の留め具４７を下方に引き下げ、係止片５５を第２の係止孔６１に係止させて後退位置にロックさせる一方、第２の留め具６５を上方に引き上げ、係止片７３を第２の係止孔７９に係止させて後退位置にロックさせる（図１中破線を参照。）。
【００４３】
この状態では、第１、第２の留め具４７、６５の端部に設けたねじ孔５７、７５が、基台２９から突出した位置に位置決めされ、予め取付孔８１を設けた支持板８３に対し、第１、第２の留め具４７、６５のねじ孔５７、７５をその取付孔８１に揃えるようにして第１、第２の留め具４７、６５を支持板８３に当接させ、電子機器本体２７の背面側を支持板８３に重ねる。
【００４４】
その後、第１、第２の留め具４７、６５のねじ孔５７、７５側からねじ８５を取付孔８１まで通し、支持板８３の裏面側でナット８７を締めれば、電子機器本体２７が支持板８３に固定される。
【００４５】
そして、電子機器本体２７を取り外す場合には、ナット８７を弛めてねじ８５を引き抜けば良い。
【００４６】
このように、本発明の取付構造は、電子機器本体２７の基台２９の背面側に支持レール３３をはめる扁平な凹溝３５を横切るように形成し、この凹溝３５に臨む片方の縁部には１対の係合突部３７、３９を凹溝３５上にせり出すように間隔を置いて突設させ、基台２９の下端から凹溝３５まで支持溝４５を形成し、この支持溝４５に第１の留め具４７を凹溝３５に対してスライド自在にはめ、この第１の留め具４７には窓部５３とこの窓部５３内に片持ち支持するように弾性係止片５５を突設し、第１の留め具４７の先端４７ａが凹溝３５に突出して支持レール３３の第２の係合辺４３に係合したとき、その係止片５５が係止する第１の係止孔５９をその基台２９に形成し、第１の留め具４７が後退して先端４７ａと第２の係合辺４３との係合が外れた状態にあるとき、係止片５５が係止される第２の係止孔６１をその基台２９に形成している。
【００４７】
そして、基台２９の背面側において、凹溝３５より上側領域の係合突部３７、３９で挟まれた領域には、基台２９の上端から凹溝３５まで支持溝６３を形成し、この支持溝６３に第２の留め具６５をスライド自在にはめ、この第２の留め具６５には第１の留め具４７と同様に窓部７１と係止片７３を設け、その基台２９には、支持溝６３にはめた第２の留め具６５の先端６５ａが凹溝３５に突出するようスライドされたとき、係止片７３が係止する第１の係止孔７７と、第２の留め具６３が後退して第１の係合辺４１との係合が外れた状態にあるとき、その係止片７３が係止する第２の係止孔７９を形成した。
【００４８】
さらに、第１、第２の留め具４７、６５は、その先端４７ａ、６５ａとは反対側の端部にねじ孔５７、７５を設けるとともに、それら係止片５５、７３が第２の係止孔６１、７９に係止されたとき、各々ねじ孔５７、７５が基台２９すなわち電子機器本体２７から突出する位置に位置決めされるよう構成した。
【００４９】
そのため、支持レール３３を凹溝３５にはめて係合突部３７、３９に係合させ、第１の留め具４７を支持レール３３に対して前進動させて支持レール３３の第２の係合辺４３に係合させ、第１の留め具４７が第１の係止孔５９に係合されて係合位置に一時的にロックされれば、支持レール３３に電子機器本体２７を支持させることができる。
【００５０】
他方、第１、第２の留め具４７、６５を上下にスライドさせ、第２の係止孔６１、７９に係合して後退位置にロックさせれば、第１、第２の留め具４７、６５のねじ孔５７、７５が基台２９から突出する位置に位置決めされ、平らな支持板８３にねじ８５で電子機器本体２７をねじ止めできる。
【００５１】
しかも、第２の留め具６５をスライドさせて第１の係止孔７７に係合させ、係合位置に一時的にロックさせれば、支持レール３３との係合が可能となり、支持レール３３に電子機器本体２７を確実に支持させることができる。
【００５２】
また、第１、第２の留め具４７、６５は同一形状に形成されているから、部品管理が簡単で、コスト低減に寄与する。もっとも、本発明では、必ずしも第１、第２の留め具４７、６５を同一形状とする必要はない。
【００５３】
ところで、第２の留め具６５は、基台２９に対してスライド可能に支持させる必要はなく、ねじ孔７５が基台２９から突出する位置に固定的に形成する構成も可能である。
【００５４】
さらに、本発明では、基台２９にケース３１を被せた構成の電子機器本体２７に限らず、公知の電子機器に適用可能である。
【００５５】
【発明の効果】
以上説明したように本発明に係る電子機器の取付構造は、電子機器本体の背面に、この背面を長尺状の支持レールが当接されたとき当該支持レールの長手方向片側に形成された第１の係合辺に間隔を置いて係合される複数の係合突部と、先端がその支持レールの他方の片側に形成された第２の係合辺に係合される係合位置にロックされるとともに、当該第２の係合辺から離れて係合が外れる所定位置に変位してロックされるようその電子機器本体にスライド可能に支持された第１の留め具と、それら係合突部の間にあってその支持レールを挟む第１の留め具と先端が対向する状態でスライド可能に支持された第２の留め具とを設けた。
そして、上記第１および第２の留め具は、その支持レールに向けた先端とは反対端部にねじ孔を各々設け、その支持レールから離れる位置に変位してロックされたとき、そのねじ孔がその電子機器本体から突出する位置に位置決めされるよう構成した。
そのため、係合突部と第１の留め具によって電子機器を支持レールへ着脱可能に固定できるし、第１、第２の留め具によって支持板など平らな支持部材へも着脱可能に固定できるうえ、構成や取付操作も簡単である。
例えば、上記第１および第２の留め具には、上記電子機器本体の背面に対して圧接する弾性係止片を設け、上記電子機器本体には、第１の留め具が第２の係合辺に係合する位置にあるときその係止片と係止してそれを係合位置にロックする第１の係止凹部を設けるとともに、それら第１および第２の留め具がそのねじ孔を突出させる位置にあるとき各々の係止片と係止してそれらをねじ止め位置にロックする第２の係止凹部を各々設ける構成にすると良い。
そして、第１および第２の留め具を同一形状にすると、従来から使用している構成部品を共用化できるので、製造コストを低減できるし、部品管理も容易である。
【図面の簡単な説明】
【図１】本発明に係る電子機器の取付構造の実施の形態を示す斜視図である。
【図２】図１に示す取付構造の断面図（Ａは図１中のIIＡ−IIＡ間断面、Ｂは図４中のIIＢ−IIＢ間断面）である。
【図３】図１に示す取付構造の要部底面図である。
【図４】図１に示す取付構造の斜視図である。
【図５】図１に示す取付構造に用いる第１、第２の留め具を示す平面図Ａおよび側面図Ｂである。
【図６】図１に示す取付構造の使用例を説明する断面図である。
【図７】図１に示す取付構造の使用例を説明する断面図である。
【図８】従来の電子機器の取付構造を示す斜視図である。
【符号の説明】
１、２９  基台
３、３１  ケース
５、２７  電子機器本体
７、３５  凹溝
９、１１、３７、３９  係合突部
１３、４５、６３  支持溝
１５  留め具
１７、３３  支持レール
１９、２１  係合辺
２３、５３、７１  窓部
２５、５５、７３  係止片
４１  第１の係合辺
４３  第２の係合辺
４７  第１の留め具
４７ａ、５５ａ、６５ａ、７３ａ  先端
４９、６７  差込溝
５１、６９  差込片
５７、７５  ねじ孔
５９、７７  第１の係止孔
６０、７８  斜面
６１、７９  第２の係止孔
６５  第２の留め具
８１  取付孔
８３  支持板（支持部材）
８５  ねじ
８７  ナット
【図１】
0003759063.tif 000002
【図２】
0003759063.tif 000003
【図３】
0003759063.tif 000004
【図４】
0003759063.tif 000005
【図５】
0003759063.tif 000006
【図６】
0003759063.tif 000007
【図７】
0003759063.tif 000008
【図８】
0003759063.tif 000009